(57)【特許請求の範囲】
【請求項１】
前方に開口する収納箱体と、
前記収納箱体の前方開口を開閉する扉と、
前記収納箱体内を上下に区画する横仕切板と、
前記横仕切板によって上下に区画された下側空間に帯電微粒子水を放出する静電霧化装置と、
前記下側空間を左右に区画するように、かつ前記収納箱体の背板との間に空気流通空間を形成するように配設された縦仕切板と、
前記収納箱体の左右の側板の少なくとも一方の側板と前記縦仕切板との間に架け渡され、上下に空気の流通が可能なように設けられた複数枚の棚板と、
を備えていることを特徴とする収納装置。
【請求項２】
請求項１において、
前記静電霧化装置は、送風器を内蔵し、吸込口及び吹出口を設けた送風ユニット内に設けられており、
前記送風ユニットの吹出口は、前記収納箱体の背板側に向けて吹き出すように設けられていることを特徴とする収納装置。
【請求項３】
請求項２において、
前記送風ユニットは、前記横仕切板の下面に取り付けられていることを特徴とする収納装置。
【請求項４】
請求項２または３において、
前記横仕切板の下方側には、前後に延びる棒状の吊下部材が設けられており、
前記送風ユニットは、前記吊下部材の側方に設けられていることを特徴とする収納装置。
【請求項５】
請求項１乃至４のいずれか１項において、
前記複数枚の棚板の少なくとも一枚の棚板は、多孔状とされていることを特徴とする収納装置。
【発明の詳細な説明】
【技術分野】
【０００１】
本発明は、前方に開口する収納箱体を備えた収納装置に関する。
【背景技術】
【０００２】
従来より、収納物の付着臭の脱臭や、カビの発生の抑制等のために、帯電微粒子水を生成する静電霧化装置を設けた収納庫が知られている。
例えば、下記特許文献１では、収納庫本体と、収納庫本体の開口部を閉塞する開閉自在な扉と、帯電微粒子水を生成する静電霧化装置とを備えた衣類収納庫が提案されている。この衣類収納庫は、収納庫本体を仕切部材によって衣類消臭スペースと衣類収納スペースとに左右に仕切った構成とされている。また、仕切部材は、衣類消臭スペースと衣類収納スペースとを連通させる開口を開閉自在に閉塞する構成とされている。
【先行技術文献】
【特許文献】
【０００３】
【特許文献１】特開２００６−６１４０９号公報
【発明の概要】
【発明が解決しようとする課題】
【０００４】
しかしながら、上記特許文献１に記載された衣類収納庫では、収納庫本体を大きく左右に衣類消臭スペースと衣類収納スペースとに仕切った構成とされている。そのため、例えば、靴等の小物を収納して脱臭等したい場合などには更なる改善が望まれていた。
【０００５】
本発明は、上記実情に鑑みてなされたものであり、臭い移りを抑制したい収納物と脱臭等したい収納物とを区分して収納可能でありながらも収納された小物に効果的に帯電微粒子水を付着させ得る収納装置を提供することを目的としている。
【課題を解決するための手段】
【０００６】
上記目的を達成するために、本発明に係る収納装置は、前方に開口する収納箱体と、前記収納箱体の前方開口を開閉する扉と、前記収納箱体内を上下に区画する横仕切板と、前記横仕切板によって上下に区画された下側空間に帯電微粒子水を放出する静電霧化装置と、前記下側空間を左右に区画するように、かつ前記収納箱体の背板との間に空気流通空間を形成するように配設された縦仕切板と、前記収納箱体の左右の側板の少なくとも一方の側板と前記縦仕切板との間に架け渡され、上下に空気の流通が可能なように設けられた複数枚の棚板と、を備えていることを特徴とする。
【０００７】
本発明においては、前記静電霧化装置を、送風器を内蔵し、吸込口及び吹出口を設けた送風ユニット内に設け、前記送風ユニットの吹出口を、前記収納箱体の背板側に向けて吹き出すように設けてもよい。
また、本発明においては、前記送風ユニットを、前記横仕切板の下面に取り付けてもよい。
また、本発明においては、前記横仕切板の下方側に、前後に延びる棒状の吊下部材を設け、前記送風ユニットを、前記吊下部材の側方に設けてもよい。
また、本発明においては、前記複数枚の棚板の少なくとも一枚の棚板を、多孔状としてもよい。
【発明の効果】
【０００８】
本発明に係る収納装置は、上述のような構成としたことで、臭い移りを抑制したい収納物と脱臭等したい収納物とを区分して収納可能でありながらも収納された小物に効果的に帯電微粒子水を付着させることができる。
【図面の簡単な説明】
【０００９】
【図１】（ａ）、（ｂ）は、いずれも本発明の一実施形態に係る収納装置の一例を模式的に示し、（ａ）は、図３におけるＸ１−Ｘ１線矢視に対応させた概略縦断面図、（ｂ）は、図３におけるＸ２−Ｘ２線矢視に対応させた概略縦断面図である。
【図２】同収納装置を模式的に示し、図３におけるＹ−Ｙ線矢視に対応させた概略横断面図である。
【図３】同収納装置を模式的に示す概略正面図である。
【発明を実施するための形態】
【００１０】
以下に本発明の実施の形態について、図面に基づいて説明する。
図１〜図３は、本実施形態に係る収納装置の一例を模式的に示す図である。
なお、図１及び図２では、扉を閉鎖した状態として図示している。
また、以下の実施形態では、収納装置に対面した状態を基準として、手前側を前方、その逆側を後方とし、また、その状態を基準として、上下方向及び左右方向等の方向を原則的に説明する。
【００１１】
本実施形態に係る収納装置１は、図１〜図３に示すように、前方に開口する収納箱体１０と、この収納箱体１０の前方開口を開閉する扉１６と、を備えている。
本実施形態では、図３に示すように、収納装置１は、コートや上着等の衣類９Ａや、靴等の小物９Ｂ、傘等の長尺物品９Ｃ等の収納が可能とされており、収納装置１を、玄関土間や玄関フロアー等に好適に設置される玄関収納装置とした例を示している。
収納箱体１０は、天板１１と、底板（地板）１２と、左右の側板１３，１４（右側板１３及び左側板１４）と、背板１５と、を備え、これらによって前方に向けて開口する収納空間を形成した略箱形状とされている。図例では、上下に長尺とされた細長箱形状の収納箱体１０を示している。また、図例では、この収納箱体１０の下端部に台輪１９を設けた例を示している。
【００１２】
扉１６は、本実施形態では、収納箱体１０に回動連結部材１８を介して回動自在に連結されている。また、本実施形態では、二枚の扉１６，１６によって収納箱体１０の前方開口を開閉する両開き（観音開き）とされている。
これら扉１６，１６は、それぞれの一側端部が左右の側板１３，１４の前端部に複数（図例では、４つ）の回動連結部材１８を介して回動自在に連結されている。図例では、回動連結部材を、スライド蝶番１８とした例を示している。また、収納装置１は、これら扉１６，１６によって収納箱体１０の前方開口を閉鎖した状態で、これら扉１６，１６の閉鎖状態における背面が収納箱体１０の前端面（天板１１、底板１２及び左右の側板１３，１４の前端面）に当接または近接する構成とされている。つまり、本実施形態では、扉１６，１６は、閉鎖状態でアウトセット状に納められる構成とされている。
また、これら扉１６，１６は、閉鎖状態で互いの他側端部同士が近接または当接する構成とされている。なお、各図において符号１７は、各扉１６，１６に設けられた把手である。
【００１３】
なお、これら扉１６，１６のうちの一方の扉１６の他側端部に、他方の扉１６の他側端部の戸当りとなる戸当り部を設けるようにしてもよい。また、収納箱体１０の天板１１や底板１２等に、これら扉１６，１６の他側端部が当接する戸当り部を設けるようにしてもよい。
また、扉１６，１６を回動自在に連結する回動連結部材１８としては、スライド蝶番に限られず、羽根蝶番（平蝶番）等の他の連結部材を採用するようにしてもよい。また、閉鎖状態とされた扉１６，１６をインセット状に収納箱体１０内に納める態様としてもよい。また、収納箱体１０の前方開口を開閉する扉１６，１６としては、両開きの扉１６，１６に限られず、一枚の扉によって開閉する片開きの扉としてもよい。さらには、このような回動連結部材１８を介して回動自在に収納箱体１０に連結された扉（開き戸）１６に限られない。例えば、収納箱体１０の前方開口に、扉１６として、スライド自在とされた複数枚のスライド扉を引き違い状に設けたり、複数枚の戸板を折り畳み展開自在に連結した折戸を設けたりするようにしてもよい。
【００１４】
また、収納装置１は、図１及び図３に示すように、収納箱体１０の収納空間を上下に区画する横仕切板２０を備えている。
横仕切板２０は、その左右の側端部が左右の側板１３，１４にそれぞれ固定され、これら左右の側板１３，１４間に架け渡されるように設けられている。また、この横仕切板２０は、その前端面２０ａが閉鎖状態の扉１６，１６の背面に近接または当接し、その後端面２０ｂが背板１５に当接している。この横仕切板２０によって上下に区画された収納箱体１０の収納空間の上側空間２と下側空間３とは、扉１６，１６を閉鎖した状態では、互いの空気の流通が概ね遮断された状態となる。
【００１５】
また、本実施形態では、横仕切板２０を、収納箱体１０の上下方向中央よりも上側位置に設け、上側空間２よりも下側空間３を大きくした例を示している。図例では、下側空間３の容積を上側空間２の容積の３倍程度とした例を示している。これら上側空間２と下側空間３との容積比は、当該収納装置１に収納される被収納物の種類や使い勝手等に応じて適宜、設定するようにすればよく、これら上下空間２，３を概ね同じ大きさとしてもよく、また、上側空間２よりも下側空間３を小さくしてもよい。本実施形態では、後記するように、下側空間３を、上側空間２よりも比較的に小分けし、また、嵩高の収納物を収納可能とした態様としているため、上側空間２よりも下側空間３を大きくしている。
【００１６】
また、本実施形態では、横仕切板２０の上方側に、左右の側板１３，１４間に架け渡すようにして上側棚板２１を設けている。
なお、左右の側板１３，１４の各内側面（対向面）に、上下方向に沿って間隔を空けて棚板を受ける棚受ダボが挿入される複数のダボ穴を設け、この上側棚板２１の上下の配設位置を変更可能とした態様としてもよい。
また、図例では、一枚の上側棚板２１を設けた例を示しているが、複数枚の上側棚板２１を設けるようにしてもよく、または、このような上側棚板２１を設けないようにしてもよい。
【００１７】
また、収納装置１は、図２及び図３に示すように、下側空間３を左右に区画するように配設された縦仕切板２２を備えている。
縦仕切板２２は、上端部が横仕切板２０に固定され、下端部が底板１２に固定されている。
また、本実施形態では、縦仕切板２２を、収納箱体１０の左右方向中央よりも一方側（図例では、右側）に寄った位置に設け、縦仕切板２２によって左右に区画された下側空間３の右下空間４よりも左下空間５を大きくした例を示している。図例では、左下空間５の容積を右下空間４の容積の２倍程度とした例を示している。これら右下空間４と左下空間５との容積比は、上記同様、当該収納装置１に収納される被収納物の種類や使い勝手等に応じて適宜、設定するようにすればよく、これら左右空間４，５を概ね同じ大きさとしてもよく、また、右下空間４よりも左下空間５を小さくしてもよい。
本実施形態では、図３に示すように、左下空間５を、ハンガー等に掛けたコートや上着等の複数枚の衣類９Ａを前後方向に並べて収納可能とした衣類収納スペースとしている。また、右下空間４を、小分けして靴等の小物９Ｂや傘等の長尺物品９Ｃを収納可能とした小分収納スペースとしている。
【００１８】
また、この縦仕切板２２は、図１及び図２に示すように、収納箱体１０の背板１５との間に空気流通空間（背側空気流通空間）７を形成するように配設されている。本実施形態では、縦仕切板２２の後端面２２ｂを、背板１５の前面から浮かせ、縦仕切板２２の後端面２２ｂと背板１５の前面との間に縦仕切板２２の上下の全体に亘って背側空気流通空間７を設けた例を示している。
この背側空気流通空間７の前後寸法（背板１５と縦仕切板２２との間の寸法）は、右下空間４と左下空間５との互いの空気の流通がスムーズになされるような寸法とすればよい。この背側空気流通空間７の前後寸法は、当該収納装置１自体の収納空間の前後寸法（奥行寸法）にもよるが、スムーズな空気の流通や後記する棚板２３，２４等の支持強度、さらには縦仕切板２２自体の取付強度の観点等から、１０ｍｍ〜１００ｍｍ程度としてもよい。
【００１９】
また、本実施形態では、図１及び図２に示すように、縦仕切板２２を、閉鎖状態とされた扉１６との間に空気流通空間（前側空気流通空間）６を形成するように配設している。本実施形態では、縦仕切板２２の前端面２２ａを、収納箱体１０の上記前端面から奥側に控えさせた位置とし、縦仕切板２２の前端面２２ａと閉鎖状態とされた扉１６の背面との間に縦仕切板２２の上下の全体に亘って前側空気流通空間６を設けた例を示している。
この前側空気流通空間６の前後寸法（閉鎖状態の扉１６と縦仕切板２２との間の寸法）は、上記した背側空気流通空間７と同様、右下空間４と左下空間５との互いの空気の流通がスムーズになされるような寸法とすればよい。また、上記同様の観点等から、この前側空気流通空間６の前後寸法は、１０ｍｍ〜１００ｍｍ程度としてもよい。
【００２０】
また、収納装置１は、図３に示すように、収納箱体１０の左右の側板１３，１４の少なくとも一方の側板と縦仕切板２２との間に架け渡された複数枚の棚板２３，２３，２４を備えている。
本実施形態では、縦仕切板２２と右側板１３との間に複数枚（図例では、３枚）の棚板２３，２３，２４を上下に間隔を空けて設けた例を示している。これら棚板２３，２３，２４は、それぞれの左右の側端部が縦仕切板２２及び右側板１３にそれぞれ固定されている。
また、これら棚板２３，２３，２４は、上下に空気の流通が可能なように設けられている。つまり、これら棚板２３，２３，２４は、それぞれの棚板の上側空間と下側空間との互いの空気の流通が可能なように設けられている。
【００２１】
本実施形態では、図１（ｂ）及び図２に示すように、縦仕切板２２と同様、これら棚板２３，２３，２４を、閉鎖状態とされた扉１６との間に前側空気流通空間６を形成するように配設している。つまり、これら棚板２３，２３，２４の各前端面２３ａ，２３ａ，２４ａを、収納箱体１０の上記前端面から奥側に控えさせた位置としている。図例では、これら棚板２３，２３，２４の各前端面２３ａ，２３ａ，２４ａを、縦仕切板２２の前端面２２ａと略同一平面状とした例を示している。また、これら棚板２３，２３，２４の各前端面２３ａ，２３ａ，２４ａと閉鎖状態とされた扉１６の背面との間に、これら棚板２３，２３，２４の左右の全体に亘って前側空気流通空間６を設けた例を示している。
また、縦仕切板２２と同様、これら棚板２３，２３，２４を、背板１５との間に背側空気流通空間７を形成するように配設している。つまり、これら棚板２３，２３，２４の各後端面２３ｂ，２３ｂ，２４ｂを、背板１５の前面から浮かせている。図例では、これら棚板２３，２３，２４の各後端面２３ｂ，２３ｂ，２４ｂを、縦仕切板２２の後端面２２ｂと略同一平面状とした例を示している。また、これら棚板２３，２３，２４の各後端面２３ｂ，２３ｂ，２４ｂと背板１５の前面との間に、これら棚板２３，２３，２４の左右の全体に亘って背側空気流通空間７を設けた例を示している。
【００２２】
また、本実施形態では、これら複数枚の棚板２３，２３，２４のうちの少なくとも一枚の棚板を、多孔状としている。図例では、３枚の棚板２３，２３，２４のうちの上段側の二枚の棚板２３，２３を多孔状とした例を示している。
これら多孔状の棚板２３，２３は、厚さ方向（上下方向）に貫通する多数の孔を有した構成とされている。このような多孔状の棚板２３，２３としては、枠内にパンチングメタルやメッシュ状（網状）部材を設けたものや、薄平板状部材に多数のスリットを設けたものとしてもよい。
【００２３】
上記のように本実施形態では、上段側の二枚の棚板２３，２３を、多孔状としてそれぞれの上下に空気の流通を可能とし、また、前側空気流通空間６及び背側空気流通空間７を形成するように設けてそれぞれの上下に空気の流通を可能としている。また、最下段の棚板２４を、前側空気流通空間６及び背側空気流通空間７を形成するように設けて上下に空気の流通を可能としている。なお、最下段の棚板２４を、多孔状としてもよい。また、上下に空気の流通が可能なように棚板を設ける態様としては、棚板自体を多孔状とする態様、前側空気流通空間６を設ける態様、及び背側空気流通空間７を設ける態様のうちのいずれか一つを採用するようにしてもよく、または二つ以上の態様を組み合わせて採用するようにしてもよい。例えば、棚板自体を多孔状とした場合には、前側空気流通空間６及び背側空気流通空間７を設けずに、棚板の前後寸法を背板から閉鎖状態の扉１６の背面までの寸法と略同寸法とする態様としてもよい。
【００２４】
また、図例では、これら棚板２３，２３，２４のそれぞれの上側に靴等の小物９Ｂの収納が可能な収納スペースが形成されるように、これら棚板２３，２３，２４を設けた例を示している。
また、図例では、最下段の棚板２４の下側に傘等の長尺物品９Ｃの収納が可能な収納スペースが形成されるように、最下段の棚板２４を設けた例を示している。
なお、本実施形態では、右下空間４に３枚の棚板２３，２３，２４を設けた例を示しているが、２枚でもよく、または、４枚以上の棚板を設けるようにしてもよい。
また、縦仕切板２２及び右側板１３の各対向面に、上下方向に沿って間隔を空けて棚板を受ける棚受ダボが挿入される複数のダボ穴を設け、これら棚板２３，２３，２４の上下の配設位置を変更可能とした態様としてもよい。
【００２５】
また、収納装置１は、本実施形態では、横仕切板２０の下方側に設けられた吊下部材２５を備えている。この吊下部材２５は、コートや上着等の衣類９Ａを掛けたハンガー等の吊下具を吊り下げるハンガーパイプなどからなり、前後に延びる棒状とされている。この吊下部材２５は、左下空間５の左右方向略中央において長手方向を前後に沿わせて設けられている。
また、この吊下部材２５は、その長手方向両端部（前後端部）にブラケット等の取付具２６，２６が取り付けられ、これら取付具２６，２６を介して横仕切板２０に支持されている。この吊下部材２５と横仕切板２０の下面２０ｃとの間の寸法は、吊下部材２５にハンガー等の吊下具をスムーズに吊り下げられるような寸法であればよい。そのため、この吊下部材２５は、左下空間５の比較的に上方に位置することとなる。
なお、吊下部材２５としては、横仕切板２０の下方側に固定的に設けられたものに限られず、前後方向に出し入れ自在とされたものとしてもよい。
また、図例では、左下空間５に棚板を設けていない例を示しているが、この左下空間５にも上記同様の棚板を上下に空気の流通が可能なように設けるようにしてもよい。
【００２６】
なお、上記した収納箱体１０を構成する各板１１，１２，１３，１４，１５や台輪１９、扉１６，１６、各仕切板２０，２２、各棚板２１，２４は、木質系材料を板状に加工した基材に、適宜、合成樹脂シートや突板等の表面化粧シートを貼着した構成としてもよい。また、基材としては、木質系材料に限られず、木粉・プラスチック複合材（ＷＰＣ）や、合成樹脂系材料や金属系材料等から形成されたものとしてもよい。また、少なくとも収納箱体１０を構成する各板１１，１２，１３，１４，１５の収納空間側の面、閉鎖状態の扉１６の背面、横仕切板２０の下面２０ｃ、縦仕切板２２の外周表面及び各棚板２１，２３，２３，２４の外周表面を、帯電防止性を有したものとしてもよい。つまりは、収納装置１を構成する各板材の外周表面のうち、下側空間３側に露出する面を、帯電防止性を有したものとしてもよい。このような各面への帯電防止性の付与は、各板材自体を無垢木材や木質系材料からなるものとしてもよく、また、表面化粧シートとして突板を採用することで付与するようにしてもよい。または、帯電防止剤を含有した塗料を塗布したり、帯電防止剤を含有した樹脂シート等を貼着したりすることで付与するようにしてもよい。
【００２７】
また、収納装置１は、下側空間３に帯電微粒子水を放出する静電霧化装置３５を備えている。
静電霧化装置３５は、詳細な図示は省略しているが、水粒子放出部とこれに対向する対向電極との間に高電圧を印加することで水粒子放出部の水分を霧化し、ナノメートルサイズの帯電微粒子水を放出する構成とされている。帯電微粒子水は、ナノメートルサイズ（例えば、５ｎｍ〜２０ｎｍ程度）の粒子径のものを含む帯電した微粒子液滴であり、空気中にミスト状態で浮遊可能なものである。
この静電霧化装置３５としては、水粒子放出部としてのピン状の放電電極（霧化電極）と、この放電電極に対向して配置され、放電電極と同軸状の開口を有してリング形状とされた対向電極とを備えたものとしてもよい。また、これら放電電極と対向電極との間に高電圧を印加することで放電現象を生じさせ、放電電極に保持された水分を静電霧化させることで、帯電微粒子水を電極間から放出する構成とされたものとしてもよい。
【００２８】
上記放電電極（水粒子放出部）に水分を保持させる手段としては、放電電極の基端部に連結された冷却手段により、放電電極を冷却することで、放電電極廻りの空気に含まれる水分（水蒸気）を放電電極の表面に結露させて保持させるようにしてもよい。このような冷却手段としては、例えば、ペルチェ素子等としてもよい。この場合は、ペルチェ素子の冷却面に電気絶縁材を介して放電電極の基端部を連結し、また、ペルチェ素子の放熱面に放熱フィン等からなる放熱部を連結するようにしてもよい。
または、放電電極を多孔質セラミック等の多孔質体で構成し、この放電電極の基端部に、液体を貯留する液体供給部を接続し、この液体供給部からの液体を、放電電極の毛細管現象により吸い上げて、その先端部に水分を保持させる態様としてもよい。
【００２９】
また、本実施形態では、図１及び図２に示すように、静電霧化装置３５を送風ユニット３０内に設けている。
送風ユニット３０は、図２に示すように、送風器３１を内蔵しており、吸込口３２及び吹出口３３を設けている。送風器３１としては、シロッコファンやクロスフローファン、軸流ファン等を採用するようにしてもよい。
吸込口３２は、本実施形態では、送風ユニット３０の前面側に設けられている。
吹出口３３は、本実施形態では、収納箱体１０の背板１５側に向けて吹き出すように設けられており、送風ユニット３０の背面側に設けられている。
【００３０】
また、送風ユニット３０内には、吸込口３２と吹出口３３とを連通させる送風路３４が設けられている。送風器３１は、吸込側を吸込口３２に向け、吹出側を吹出口３３に向けて、この送風路３４に設けられている。
また、送風器３１の吸込側と吸込口３２との間には、フィルタ３６が設けられている。このフィルタ３６としては、塵埃等の捕捉性や脱臭性を有した活性炭フィルタとしてもよい。このフィルタ３６を吸込口３２の背面側に設け、吸込口３２にガラリやルーバー等の前カバーを着脱自在に設け、該前カバーを取り外すことでフィルタ３６の清掃や交換等を可能とする態様としてもよい。
また、静電霧化装置３５の帯電微粒子水の放出口は、送風器３１の吹出側と吹出口３３との間の送風路３４に向けて帯電微粒子水の放出が可能となるように設けられている。
【００３１】
また、送風ユニット３０は、各種回路や制御部等を内蔵した操作盤３７を備えている。この操作盤３７は、送風ユニット３０の前面側に露出するように設けられており、この操作盤３７には、送風器３１や静電霧化装置３５をＯＮ／ＯＦＦする操作部等が設けられている。これら送風器３１と静電霧化装置３５とは、個別にＯＮ／ＯＦＦ操作が可能とされたものとしてもよく、または、同期してＯＮ／ＯＦＦされるものとしてもよい。また、送風ユニット３０に臭いセンサー等の検出部を設け、該検出部の検出に基づいてＯＮ／ＯＦＦ制御がなされるものとしてもよい。また、操作盤３７にタイマー等を設け、送風器３１や静電霧化装置３５をタイマー駆動可能とする態様としてもよい。
なお、この送風ユニット３０に駆動電源を供給する電力線等を、収納箱体１０の背板１５や天板１１、底板１２等に設けた配線孔を介して配線するようにしてもよい。
【００３２】
上記構成とされた送風ユニット３０は、本実施形態では、収納箱体１０の下側空間３の上部に設置されている。また、送風ユニット３０を、縦仕切板２２の側方に設けている。また、本実施形態では、送風ユニット３０を、吊下部材２５の側方に設け、横仕切板２０の下面２０ｃに取り付けている。
この送風ユニット３０は、前後寸法が縦仕切板２２の前後寸法と略同寸法または縦仕切板２２の前後寸法よりも小さく形成されている。また、送風ユニット３０は、送風ユニット３０の前面と閉鎖状態とされた扉１６との間に上記同様の前側空気流通空間が形成されるように、また、送風ユニット３０の背面と背板１５との間に上記同様の背側空気流通空間が形成されるように設置されている。
つまり、本実施形態では、送風ユニット３０を、下側空間３の上部において、吊下部材２５と縦仕切板２２との間に設けている。また、送風ユニット３０の吸込口３２を、縦仕切板２２に近接させて前面側から吸い込むように設けている。また、送風ユニット３０の吹出口３３を、縦仕切板２２に近接させて背板１５側に向けて吹き出すように設けている。
なお、この送風ユニット３０の横仕切板２０の下面２０ｃへの取り付けは、取付金具や接着剤等によって取り付けるようにしてもよい。
【００３３】
上記構成とされた本実施形態に係る収納装置１によれば、臭い移りを抑制したい収納物８と脱臭等したい収納物９とを区分して収納可能でありながらも収納された小物に効果的に帯電微粒子水を付着させることができる。
つまり、前方開口が扉１６，１６によって閉鎖される収納箱体１０内を上下に区画する横仕切板２０と、この横仕切板２０によって上下に区画された下側空間３に帯電微粒子水を放出する静電霧化装置３５とを備えている。従って、収納箱体１０の上側空間２に臭い移りを抑制したい収納物８を収納することができ、収納箱体１０の下側空間３に脱臭等したい収納物９を収納することができる。例えば、図３に示すように、上側空間２に、下側空間３に収納した収納物９からの臭い移りを抑制したい未使用の帽子や靴、さらには脱臭等した後の帽子や靴等の収納物８を収納することができる。
【００３４】
また、下側空間３を左右に区画するように配設された縦仕切板２２と、収納箱体１０の左右の側板１３，１４の少なくとも一方の側板と縦仕切板２２との間に架け渡された複数枚の棚板２３，２３，２４とを備えている。従って、複数枚の棚板２３，２３，２４に靴等の小物９Ｂを載置することができる。
また、縦仕切板２２を収納箱体１０の背板１５との間に背側空気流通空間７を形成するように配設し、複数枚の棚板２３，２３，２４を上下に空気の流通が可能なように設けている。従って、縦仕切板２２と背板１５との間の背側空気流通空間７を介して下側空間３の左右両側の空間４，５に帯電微粒子水を拡散させることができ、その拡散した帯電微粒子水を各棚板２３，２３，２４に載置された小物９Ｂに効果的に付着させることができる。
また、本実施形態では、縦仕切板２２を、閉鎖状態とされた扉１６との間に前側空気流通空間６を形成するように配設している。従って、これら前側及び背側の空気流通空間６，７を介して下側空間３の左右両側の空間４，５により効果的に帯電微粒子水を拡散させることができる。
【００３５】
また、本実施形態では、送風器３１を内蔵した送風ユニット３０内に静電霧化装置３５を設けているので、帯電微粒子水を含んだ空気を下側空間３に送風することができる。
また、送風ユニット３０の吹出口３３を背板１５側に向けて吹き出すように設けているので、図２に示すように、吹出口３３からの気流を背板１５に沿わせるようにして拡散させることができる。これにより、縦仕切板２２と背板１５との間の背側空気流通空間７を介して下側空間３の左右両側の空間４，５に帯電微粒子水を含んだ空気を効率的に送り込むことができ、下側空間３に収納された小物９Ｂ等により効果的に帯電微粒子水を付着させることができる。
また、例えば、前方に吹き出すように吹出口３３を設けた場合と比べて、送風ユニット３０を駆動中に扉１６を開放させた際における不快感を抑制することができる。
また、本実施形態では、吹出口３３が縦仕切板２２に近接した位置となるように送風ユニット３０を縦仕切板２２の側方に設けている。従って、縦仕切板２２と背板１５との間の背側空気流通空間７を介して下側空間３の左右両側の空間４，５に帯電微粒子水を含んだ空気をより効率的に送り込むことができる。
【００３６】
また、本実施形態では、吸込口３２を前面側から吸い込むように設けている。従って、図２に示すように、背側空気流通空間７を介して下側空間３の左右両側の空間４，５に送り込まれ、前方側へ廻り込むようにして拡散した空気を、前側空気流通空間６を介して前面側の吸込口３２から吸い込むことができる。従って、帯電微粒子水を含んだ空気をより効果的に左右両側の空間４，５において拡散させながら送風循環させることができ、下側空間３に収納された小物９Ｂ等により効果的に帯電微粒子水を付着させることができる。
また、本実施形態では、吸込口３２が縦仕切板２２に近接した位置となるように送風ユニット３０を縦仕切板２２の側方に設けている。従って、下側空間３の左右両側の空間４，５に送り込まれた空気を、前側空気流通空間６を介してより効率的に吸い込むことができる。
【００３７】
また、本実施形態では、横仕切板２０の下方側に、前後に延びる棒状の吊下部材２５を設け、この吊下部材２５の側方に送風ユニット３０を設けている。従って、吊下部材２５に、衣類９Ａを掛けたハンガー等の吊下具を吊り下げることができる。
また、前後に延びる棒状の吊下部材２５の側方に送風ユニット３０を設けているので、吊下部材２５及び送風ユニット３０を下側空間３（左下空間５）に効率的に設けることができる。また、吊下部材２５の側方には収納物等の収納がなされ難いので、送風ユニット３０の吸込口３２や吹出口３３に収納物が干渉するようなことを抑制することができる。
また、送風ユニット３０の吹出口３３が下側空間３の上側部位に設けられることとなる。従って、図１に示すように、吹出口３３からの気流が背板１５に沿うようにして下方側及び左右に拡散し、下側空間３の左右両側の空間４，５に帯電微粒子水を含んだ空気をより効率的に送り込むことができる。
【００３８】
つまり、本実施形態では、縦仕切板２２の前側及び背側にそれぞれ空気流通空間６，７を設け、送風ユニット３０を下側空間３の上部に設け、かつ背板１５側に向けて吹き出し、前面側から吸い込むように設けている。従って、送風ユニット３０から吹き出された帯電微粒子水を含んだ空気を、図１に示すように、下側空間３の左右両側の空間４，５においてそれぞれ背板１５に沿わせて下方側に向けて拡散させ、閉鎖状態の扉１６，１６に沿わせて上方側から吸い込むことができる。これにより、下側空間３の左右両側の空間４，５のそれぞれに帯電微粒子水を含んだ空気をより効率的に拡散させながら送風循環させることができ、左右両側の空間４，５のそれぞれに収納された収納物９に、より効率的に帯電微粒子水を付着させることができる。
【００３９】
また、本実施形態では、送風ユニット３０を、横仕切板２０の下面２０ｃに取り付けている。従って、送風ユニット３０が邪魔になり難くなり、下側空間３を有効に利用することができる。
また、横仕切板２０の直下には収納物等の収納がなされ難いので、上記と略同様、送風ユニット３０の吸込口３２や吹出口３３に収納物が干渉するようなことを抑制することができる。
また、送風ユニット３０の吹出口３３が下側空間３の最上部に設けられることとなる。従って、上記と略同様、吹出口３３からの気流が背板１５に沿うようにして下方側及び左右に拡散し、下側空間３の左右両側の空間４，５に帯電微粒子水を含んだ空気をより効率的に送り込むことができる。
【００４０】
また、本実施形態では、複数枚の棚板２３，２３，２４の少なくとも一枚の棚板２３，２３を、多孔状としている。従って、多孔状とされた棚板２３，２３を介して上下に空気をよりスムーズに流通させることができ、帯電微粒子水をより効果的に小物に付着させることができる。
【００４１】
なお、本実施形態では、閉鎖状態の扉１６と縦仕切板２２との間に前側空気流通空間６を設けた例を示しているが、このような前側空気流通空間６を設けないようにしてもよい。
また、本実施形態では、前後に延びる棒状の吊下部材２５を設けた例を示しているが、左右に延びる棒状の吊下部材を左右いずれか一方の側板と、縦仕切板２２との間に架け渡すように設けた態様としてもよい。この場合は、該吊下部材の背面側等に送風ユニット３０を設けるようにしてもよい。
また、本実施形態では、下側空間３の左右のいずれか一方を、吊下部材２５を設けた衣類収納スペースとした例を示しているが、このような吊下部材２５を設けずに、複数枚の棚板を上下に空気の流通が可能なように設けた態様としてもよい。つまり、下側空間３の左右両側の空間４，５を小物９Ｂや長尺物品９Ｃ等の収納スペースとしてもよい。
【００４２】
また、本実施形態では、送風ユニット３０の吸込口３２を前面側から吸い込むように設けた例を示しているが、送風ユニット３０の下面側や上面側、側面等に吸込口３２を設けるようにしてもよい。また、本実施形態では、送風ユニット３０の吹出口３３を背板１５側に向けて吹き出すように設けた例を示しているが、送風ユニット３０の下面側や上面側、側面等に吹出口３３を設けるようにしてもよい。さらには、送風ユニット３０の吹出口３３を前面側に設け、吸込口３２を背面側に設けた態様としてもよい。
また、本実施形態では、横仕切板２０の下面２０ｃに送風ユニット３０を取り付けた例を示しているが、このような態様に限られない。例えば、送風ユニット３０を、背板１５や、左右の側板１３，１４のうちの一方の側板、縦仕切板２２等に取り付けるようにしてもよい。
さらには、このような送風器３１を内蔵した送風ユニット３０を設けずに、下側空間３に帯電微粒子水を放出する静電霧化装置３５を設けた態様としてもよい。
【００４３】
また、本実施形態では、下側空間３に一枚の縦仕切板２２を設けた例を示しているが、複数枚の縦仕切板を設けた態様としてもよい。
また、本実施形態では、単一の送風ユニット３０（静電霧化装置３５）を設けた例を示しているが、複数の送風ユニット３０（静電霧化装置３５）を設ける態様としてもよい。この場合において、複数枚の縦仕切板を設けた態様とした場合には、縦仕切板毎に送風ユニット３０（静電霧化装置３５）を設ける態様としてもよい。
【符号の説明】
【００４４】
１      収納装置
３      下側空間
７      背側空気流通空間（空気流通空間）
１０    収納箱体
１３    右側板
１４    左側板
１５    背板
１６    扉
２０    横仕切板
２０ｃ  下面
２２    縦仕切板
２３    棚板
２４    棚板
２５    吊下部材
３０    送風ユニット
３１    送風器
３２    吸込口
３３    吹出口
３５    静電霧化装置
【図１】
0005842155.tif 000002
【図２】
0005842155.tif 000003
【図３】
0005842155.tif 000004